(57)【要約】【課題】  本発明によれば、製造業者が保有する図面、作業指示書、３Ｄ・２Ｄ＋構成情報、４Ｄ−ＰＨＤ、ＣＡＭデータ、三面図、生産管理データ、検査成績表、写真、映像、等をデジタル・アナログを問わずサーバーに吸い上げ、これらをクライアント装置において閲覧可能な状態で提供することが可能となる。とりわけ、中小製造業者が必ずしも用いているとは限らない発注書、契約書、見積書等の取引書類や、作業指示書とは異なり、図面はおよそ全ての中小製造業者が用いている。【解決手段】  図面を軸として各種のデータを付加していく本発明により、中小製造業にとって工場の見える化やペーパレス化への導入ハードルが下がり、技術伝承や受注獲得に大きく寄与するものである。【選択図】図１
2018041423.tif 000002
【特許請求の範囲】
【請求項１】
作業対象に関するイメージ、テキスト、またはマルチメディア情報であって利用者の閲覧に供する図面付加情報データを、通信モジュールを介して受信するステップと、
記憶領域にあらかじめ格納された作業対象を図示した図面データをメイン情報とし、受信した図面付加情報データをメイン情報に付随するサブ情報として、これらメイン情報とサブ情報とを関連付けするステップと、
図面付加情報データを記憶領域に格納するステップと、
を備えた、コンピューター上で実行されるプログラム。
【請求項２】
作業対象を図示した図面データと、
作業対象に関するイメージ、テキスト、またはマルチメディア情報であって利用者の閲覧に供する図面付加情報データと、
前記図面データをメイン情報とし、前記図面付加情報データをメイン情報に付随するサブ情報として関連付けた関連付けデータと、
を格納した記憶媒体。
【発明の詳細な説明】
【技術分野】
【０００１】
本発明は、ユーザーが保有するデータを一元化するプログラムおよび記憶媒体に関する。
【背景技術】
【０００２】
中小製造業を取り巻く環境は、インターネットによる社会全体の変化により大きく変化しており、工場全体のデジタル化・スマート化による生産性向上と国際化が喫緊の課題となっている。
【０００３】
中小製造業に共通する経営目標は『つながる工場』『考える工場』を実現し、世界中からの受注を拡大すると同時に、社内のノウハウを後世に継承することであり、工場の見える化やペーパレス化などが具体的に推進すべきテーマとなっている。
【先行技術文献】
【特許文献】
【０００４】
【特許文献１】特許５４５１１６６号
【特許文献２】特開２０１５−１８４７６１号
【特許文献３】特開２０１４−２０３４０９号
【特許文献４】特開２０１１−５３９９９号
【発明の概要】
【発明が解決しようとする課題】
【０００５】
しかし、ＩＴ業界や工作機械業界などのメーカーに相談しても、実現には膨大な費用が必要であり、現在の設備資産との調和もとれず、実現性を有するアイデアが目下のところ先行技術には開示されていない。
【０００６】
ここで、日本の中小製造業ではパーソナルコンピューターを操作して作成した必要書類を印刷し、ファクシミリの送受信により受発注を行うのが主流である。これを裏付けるデータとして中小企業実態基本調査報告（平成２２年度決算実績）によれば、電子商取引を導入している製造業者は法人・個人事業主合わせて７％しかいない。また、取引が発注書、契約書、見積書等の書類が一切ないまま、口約束のみでなされることも未だに少なくない。
【０００７】
また、中小製造業にとっては競争力の源泉として熟練工の持つノウハウが大きなウェイトを占めている。言い換えれば、熟練工がいかに効率よく作業に長時間従事できるかが中小製造業の経営課題としての優先順位の上位を占めている。熟練工の持つノウハウは本来であれば、作業指示書などによりマニュアル化されてより多くの作業者に知れ渡ることが好ましい。
【０００８】
一方、後進の育成や、ＩＴ技術の導入および従業員のＩＴ技術の習熟は目先の売上やコストなど短期的な収益向上に直結するものではなく、中小製造業にとっての経営課題の優先順位としてはあまり高くない位置にある。
【０００９】
本発明は、中小製造業の財産である現有の機械やソフト資産を有効活用し、新規設備などの大規模な投資をせずスマート工場を実現する仕組みを提供することを課題とする。
【課題を解決するための手段】
【００１０】
（プログラムの構成）
作業対象に関するイメージ、テキスト、またはマルチメディア情報であって利用者の閲覧に供する図面付加情報データを、通信モジュールを介して受信するステップと、記憶領域にあらかじめ格納された作業対象を図示した図面データをメイン情報とし、受信した図面付加情報データをメイン情報に付随するサブ情報として、これらメイン情報とサブ情報とを関連付けするステップと、図面付加情報データを記憶領域に格納するステップと、を備えた、コンピューター上で実行されるプログラム。
【００１１】
（記憶媒体の構成）
作業対象を図示した図面データと、作業対象に関するイメージ、テキスト、またはマルチメディア情報であって利用者の閲覧に供する図面付加情報データと、前記図面データをメイン情報とし、前記図面付加情報データをメイン情報に付随するサブ情報として関連付けた関連付けデータと、を格納した記憶媒体。
【発明の効果】
【００１２】
本発明によれば、製造業者が保有する図面、作業指示書、３Ｄ・２Ｄ＋構成情報、４Ｄ−ＰＨＤ、ＣＡＭデータ、三面図、生産管理データ、検査成績表、写真、映像、等をデジタル・アナログを問わずサーバーに吸い上げ、これらをクライアント装置において閲覧可能な状態で提供することが可能となる。とりわけ、中小製造業者が必ずしも用いているとは限らない発注書、契約書、見積書等の取引書類や、作業指示書とは異なり、図面はおよそ全ての中小製造業者が用いている。
【００１３】
このため、図面を軸として各種のデータを付加していく本発明により、中小製造業にとって工場の見える化やペーパレス化への導入ハードルが下がり、技術伝承や受注獲得に大きく寄与するものである。
【図面の簡単な説明】
【００１４】
【図１】本発明の基本的な実施形態である、図面付加情報データをサーバーに登録する過程を説明する図
【図２】本発明の基本的な実施形態である、サーバーに登録された図面付加情報データを各種端末により閲覧する過程を説明する図
【図３】本発明の実施形態を説明するフローチャート
【図４】本発明の実施形態を説明するフローチャート
【図５】本発明の実施形態を説明するフローチャート
【図６】本発明の実施例である、コード読み取りモジュールによるユーザー認証により図面付加情報データへとアクセスする過程を説明する図
【発明を実施するための形態】
【００１５】
本発明の概要について図１および図２を用いて説明する。
【００１６】
図１に示すように、サーバー１００は、サービス利用者の保有する各種端末（ＮＣ、パーソナルコンピューター、スマートフォン、ファクシミリ）から送信された図面付加情報データを受信し、格納する。
【００１７】
図面付加情報データは作業指示書、３Ｄ・２Ｄ＋構成情報、４Ｄ−ＰＨＤ、ＣＡＭデータ、三面図、生産管理データ、検査成績表、ガントチャート、見積書、発注書、契約書、写真、映像、等である。元データの形式は特に問わない。
【００１８】
各種端末からのデータの送信は、ユーザーによる操作を受け付けることによる、手動での送信のほか、例えばファクシミリの送受信時に自動的にサーバー１００へ送信する等の自動送信を含む。
【００１９】
また、サーバー１００は受信した図面付加情報データを、汎用的なクライアント装置により閲覧可能なフォーマット（例えばＰＤＦ、３Ｄ−ＰＤＦ等）のデータへと必要に応じて変換する。
【００２０】
こうしてサーバー１００にアップロードされた図面付加情報データは、作業対象を図示した図面データと関連付けられてサーバー１００に格納される。図面データとの関連付けについては後述する。
【００２１】
図２に示すように、図面付加情報データは、図面データを閲覧する際に図面データと共にユーザーに提示され、クライアント装置がリクエストするデータを表示する。
【００２２】
（図面データの登録）
データベースの軸となる図面データの登録プロセスについて図３のフローチャートを用いて説明する。
【００２３】
とりわけ中小製造業においては、作業指示書のようなマニュアルが必ずしも作成されるとは限らない。また、取引が発注書、契約書、見積書等の書類が一切ないまま、口約束のみでなされることも多い。
【００２４】
この点、ものつくりにおいてはどのような事業規模であっても必ずといっていいほど図面が存在する。
【００２５】
したがって、中小製造業におけるドキュメントの一元化を図るに際しては、作業対象を図示した図面をメインな情報とし、その他のドキュメントを付加情報とするデータベースを構築することが、幅広い層への導入を図る上で最も効率的である。
【００２６】
サーバー１００は、サービス利用者の端末より図面データを受信する。図面の元データの形式は特に問わない。
【００２７】
次に、サーバー１００は、必要に応じて元データを汎用的なクライアント装置により閲覧可能なフォーマットのデータに変換する。
【００２８】
さらに、サーバー１００は、図面データに図面を一意に特定する図面コード（図面ＩＤ）を付与する。
【００２９】
（図面付加情報データの登録）
図面付加情報データの登録プロセスについて図４のフローチャートを用いて説明する。
【００３０】
各種の図面付加情報データは、作業指示書、３Ｄ・２Ｄ＋構成情報、４Ｄ−ＰＨＤ、ＣＡＭデータ、三面図、生産管理データ、検査成績表、写真、映像、等のデータが、システム利用者のコンピューターよりサーバー１００へ送信された後に、サーバー１００に格納されたプログラムにより、図面データと自動的に関連付けされることが好ましい。
【００３１】
各種の図面付加情報データと図面データとの関連付けは、（１）予め図面付加情報データに含まれているメタデータから、図面データを一意に特定する図面コードを検出する、（２）図面等が紙に印刷されたものしかない場合、スキャンされた画像データからＯＣＲ（光学文字認識）により対応する図面コードを検出する、（３）上記（１）（２）により図面コードを検出できない場合、または図面コードに誤りがある場合、システム提供者のオペレーターが手動により入力する、のいずれかにより行うものとする。
【００３２】
また、図面コードを検出できなかった場合、既に図面コードと関連付けられた図面付加情報データとの内容の比較により、類似する図面付加情報データを検出して同じ図面コードを付与してもよい。
【００３３】
このような各種の図面付加情報データと図面コードとの関連付けは既知の関連付け方法の他、将来考案される関連付け方法を用いることができる。
【００３４】
この他に、図面付加情報データは図面コードの他にも、時間（元データの作成日時・サーバー１００に送信された日時、他）、データの作成者等のメタデータをタグとして関連付けてサーバー１００に格納されることが好ましい。
【００３５】
（図面データおよび図面付加情報データの閲覧）
図面データおよび図面付加情報データの閲覧について、図５のフローチャートを用いて説明する。
【００３６】
サーバー１００は、クライアント装置２００からのアクセスを受け付けると、ユーザーアカウントの認証を要求する。
【００３７】
ユーザーアカウントの認証については「ユーザーＩＤ＋パスワード」等の既存の認証方法を用いることができるため、個別の説明は省略する。
【００３８】
サーバー１００はクライアント装置２００からのリクエストを受け付けると、ユーザーアカウントが保有する図面データの一覧をクライアント装置２００に表示させ、ユーザーが所望する図面データの選択を促す。
【００３９】
図面データの選択を受け付けると、サーバー１００はクライアント装置２００に、その図面データと関連付けられた図面付加情報データの一覧を表示させ、ユーザーが所望する図面付加情報データの選択を促す。
【００４０】
図面付加情報データの選択を受け付けると、サーバー１００はクライアント装置２００に選択された図面付加情報データを表示させる。
【００４１】
また、図６に示すように、図面コードを符号化した読み取りパターンを図面に付して印刷し、その読み取りパターンをバーコードリーダーなどのコード読み取りモジュールにより読み取らせることにより、図面データおよび図面付加情報データへのアクセスさせる手法を採用してもよい。
【００４２】
（その他）
以上説明したモジュールの他、上記モジュールを動作させるのに必要なプロセッサやストレージ、メモリ、入力モジュール等が各装置に含まれるのは言うまでもない。
【００４３】
また、本発明におけるハードウェアの各構成要素は機能概念的なものであり、必ずしも物理的に分離して構成されていることを要しない。
【００４４】
（結び）
以上説明した実施形態は、本発明の理解を容易にするために記載されたものであって、本発明の用途を限定するために記載されたものではない。
【００４５】
また、本発明におけるハードウェア装置の構成、各ハードウェア動作に関わるプログラム、データ形式、プログラム言語等は、特定のものに依存しておらず、上記説明した実施形態は一例にすぎない。
【００４６】
したがって、上記の実施形態に開示された各要素は、本発明の技術的範囲に属する全ての設計変更や均等物が含まれる。
【産業上の利用可能性】
【００４７】
本発明は主として製造業その他産業の支援システムとしての産業上の利用可能性を有する。
【符号の説明】
【００４８】
１００  サーバー
２００  クライアント装置
【図１】
2018041423.tif 000003
【図２】
2018041423.tif 000004
【図３】
2018041423.tif 000005
【図４】
2018041423.tif 000006
【図５】
2018041423.tif 000007
【図６】
2018041423.tif 000008